(57)【要約】【課題】  内のり寸法が大きい場合であっても，レンジフードパネルを容易に取り付けることができ，しかも，意匠合わせされたレンジフードパネルと壁面及び／又は吊戸棚との隙間寸法を，キャビネットの扉と扉の隙間寸法と同じ隙間寸法に調整可能なレンジフードパネルの取付金具及び該金具を用いたレンジフードパネルの取付構造を提供する。【解決手段】  レンジフードと隣接する壁面及び／又は吊戸棚との間に形成される隙間を隠蔽するフードパネルのＬ字型取付金具の壁面側及び／又は吊戸棚側に当接する片部には螺子穴を上下に開設すると共に，他方の片部には，レンジフードパネルの裏面に取り付けられた係合片が挿通される係止用穴を横長に開設した。【選択図】図１
2006234361.tif 000002
【特許請求の範囲】
【請求項１】
レンジフードと隣接する壁面及び／又は吊戸棚との間に形成される隙間を隠蔽するフードパネルのＬ字型取付金具であって，該取付金具の壁面側及び／又は吊戸棚側に当接する片部には螺子穴を上下に開設すると共に，他方の片部には，レンジフードパネルの裏面に取り付けられた係合片が挿通される係止用穴を横長に開設したことを特徴とするレンジフードパネルの取付金具。
【請求項２】
前記横長の係止用穴は，前記係合片の幅寸法より５ｍｍ以上長い長さを有して開設されていることを特徴とする請求項１に記載のレンジフードパネルの取付金具。
【請求項３】
前記横長の係止用穴は，前記他方の片部の上下に開設されていることを特徴とする請求項１又は請求項２のいずれかに記載のレンジフードパネルの取付金具。
【請求項４】
レンジフードと，隣接する壁面及び／又は吊戸棚と，の間を隠蔽する長さに切断されたレンジフードパネルの裏側上部に，請求項１乃至請求項３のいずれかに記載の取付金具の横長の係止用穴に挿通される係合片を有する金具を固定し，上記金具の壁面側及び／又は吊戸棚側に当接する片部の螺子穴に螺子を螺装して該片部を壁面及び／又は吊戸棚に固定した後，上記レンジフードパネルの係合片を上記他方の片部に開設された係止用穴に挿入し係止させることを特徴とするレンジフードパネルの取付構造。
【発明の詳細な説明】
【技術分野】
【０００１】
この発明は，キッチン，厨房などにおいてコンロ等の燃焼器具の上方に該燃焼器具を覆うように配設され，燃焼器具からの煙，臭気等を含むガスを，吸引ファンで吸引し捕集して外部へ導くためのレンジフードのパネル取付構造に関し，特に，レンジフードパネルとレンジフードと隣接する壁面及び／又は吊戸棚との間に隙間がある場合に適用されるレンジフードパネルの取付金具及び該金具を用いたレンジフードパネルの取付構造に関する。
【背景技術】
【０００２】
従来より，キッチン，厨房などにおいてコンロ台等の燃焼器具の上方には，この燃焼器具を覆うように，レンジフードパネルを壁部に取り付けられることが行われている（例えば特許文献１参照）。
【０００３】
【特許文献１】特開昭６１−５６４７８号公報
【０００４】
ところで，このようなレンジフードを備えたシステムキッチンは，キッチン間口よりも若干広い場所に設置されるのが一般的である。例えば，キッチンの間口寸法が２５５０ｍｍに対し，設置される場所の間口寸法（建築の内のり寸法）が２５６０ｍｍ，という場合である。
【０００５】
一方，この種のキッチンは，工場においてキャビネット毎に生産された後，現場で組み合わされるため，寸法精度が非常に高いが，建築現場では間仕切り位置等に誤差が生じ易いため，上記内のり寸法が狂うことが多く，その結果，キッチンと壁との間に予定外の寸法の隙間が発生するケースが非常に多かった。
【０００６】
また，ユーザからは，フードの上のレンジフードパネルをキッチンや吊戸棚の扉と意匠合わせする要望が多い。このようなケースの場合，現場においては，図２３に示すＬ字型金具１の一方の片部２を壁面に固定し，扉と同じ意匠からなるレンジフードパネルの裏側に取り付けた金具を，他方の片部３に開設された穴４に引っ掛ける工法が一般的に用いられている。
【発明の開示】
【発明が解決しようとする課題】
【０００７】
しかしながら，上記したように，レンジフードパネルと壁面の隙間寸法が大きい場合，上記従来の金具１では，上記隙間寸法と合わせることができないため，例えば壁面にスペーサを貼り増しして金具１を取り付ける，という手段が採られていたため，工数が掛かる割には，仕上げ品質が悪い，という問題を有していた。
【０００８】
この発明は，かかる現状に鑑み創案されたものであって，その目的とするところは，内のり寸法が大きい場合であっても，レンジフードパネルを容易に取り付けることができ，しかも，意匠合わせされたレンジフードパネルと壁面及び／又は吊戸棚との隙間寸法を，キャビネットの扉と扉の隙間寸法と同じ隙間寸法に調整可能なレンジフードパネルの取付金具及び該金具を用いたレンジフードパネルの取付構造を提供しようとするものである。
【課題を解決するための手段】
【０００９】
上記目的を達成するため，請求項１に記載のレンジフードパネルの取付金具にあっては，レンジフードと隣接する壁面及び／又は吊戸棚との間に形成される隙間を隠蔽するフードパネルのＬ字型取付金具であって，該取付金具の壁面側及び／又は吊戸棚側に当接する片部には螺子穴を上下に開設すると共に，他方の片部には，レンジフードパネルの裏面に取り付けられた係合片が挿通される係止用穴を横長に開設したことを特徴とする。
【００１０】
また，請求項２に記載の発明にあっては，請求項１に記載のレンジフードパネルの取付金具を技術的前提とし，前記横長の係止用穴は，前記係合片の幅寸法より５ｍｍ以上長い長さを有して開設されていることを特徴とする。
【００１１】
さらに，請求項３に記載の発明にあっては，請求項１又は請求項２のいずれかに記載のレンジフードパネルの取付金具を技術的前提とし，前記横長の係止用穴は，前記他方の片部の上下に開設されていることを特徴とする。
【００１２】
さらに，請求項４に記載のレンジフードパネルの取付構造にあっては，レンジフードと，隣接する壁面及び／又は吊戸棚と，の間を隠蔽する長さに切断されたレンジフードパネルの裏側上部に，請求項１乃至請求項３のいずれかに記載の取付金具の横長係止用穴に挿通される係合片を有する金具を固定し，上記金具の壁面側及び／又は吊戸棚側に当接する片部の螺子穴に螺子を螺装して該片部を壁面及び／又は吊戸棚に固定した後，上記レンジフードパネルの係合片を上記他方の片部に開設された係止用穴に挿入し係止させることを特徴とする。
【発明の効果】
【００１３】
以上説明したように，請求項１に記載の発明にあっては，レンジフードパネルの取付金具を，レンジフードと隣接する壁面及び／又は吊戸棚との間に形成される隙間を隠蔽するフードパネルのＬ字型取付金具であって，該取付金具の壁面側及び／又は吊戸棚側に当接する片部には螺子穴を上下に開設すると共に，他方の片部には，レンジフードパネルの裏面に取り付けられた係合片が挿通される係止用穴を横長に開設して構成したので，内のり寸法が大きい場合であっても，レンジフードパネルを容易に取り付けることができ，しかも，意匠合わせされたレンジフードパネルと壁面及び／又は吊戸棚との隙間寸法を，キャビネットの扉と扉の隙間寸法と同じ隙間寸法に容易に調整して合わせることができるので，キッチンの外観品質を向上させることができる。
【００１４】
また，請求項２に記載の発明にあっては，前記横長の係止用穴は，前記係合片の幅寸法より５ｍｍ以上長い長さを有して開設したので，内のり寸法が大きくても，スペーサを貼り増しすることなくレンジフードパネルを容易に取り付けることができる。
【００１５】
さらに，請求項３に記載の発明にあっては，前記横長の係止用穴を，前記他方の片部の上下に開設したので，左右勝手共に使用することができ，部品点数を削減して製造コストを低減することができる。
【００１６】
請求項４に記載のレンジフードパネルの取付構造にあっては，レンジフードと，隣接する壁面及び／又は吊戸棚と，の間を隠蔽する長さに切断されたレンジフードパネルの裏側上部に，請求項１乃至請求項３のいずれかに記載の取付金具の横長の係止用穴に挿通される係合片を有する金具を固定し，上記金具の壁面側及び／又は吊戸棚側に当接する片部の螺子穴に螺子を螺装して該片部を壁面及び／又は吊戸棚に固定した後，上記レンジフードパネルの係合片を上記他方の片部に開設された係止用穴に挿入し係止させて取り付けるように構成したので，少ない部品でレンジフードパネルを簡単に取り付けることができ，しかも，レンジフードパネルと壁面及び／又は吊戸棚との隙間寸法を，キャビネットの扉と扉の隙間寸法と同じ隙間寸法に容易に調整して合わせることができる，という優れた効果が得られる。
【発明を実施するための最良の形態】
【００１７】
以下，添付図面に示す発明の実施形態例に基づき，この発明を詳細に説明する。
【００１８】
図１は，この発明の一実施形態例に係るレンジフード取付構造が適用されたシステムキッチンの正面図を，図２は同システムキッチンのレンジフードパネル部及び吊戸棚部分の平面断面図を，図３は同レンジフードパネルの取り付け状態を示す斜視説明図を，図４は同レンジフードパネルの取付金具の斜視図を，図５は同レンジフードパネル側に取り付けられる左金具の斜視図を，図６は同レンジフードパネル側に取り付けられる右金具の斜視図を，図７は同レンジフードパネル裏面下部に取り付けられる下部金具の斜視図を，図８はレンジフードパネルの裏面側に左右金具を取り付ける状態を示す斜視説明図を，図９はレンジフードパネルの裏面側に左金具を取り付けた状態を示す部分斜視説明図を，図１０はレンジフードパネルの裏面側下部に下部金具を取り付ける状態を示す斜視説明図を，図１１は同レンジフードパネルの裏面側下部に下部金具を取り付けた状態を示す斜視図を，図１２は左右金具を一体化した例を示す説明図を，図１３は同一体化金具が取り付けられたレンジフードパネルの右側面図を，図１４は同レンジフードパネル取付金具の取り付け手順を示す説明図を，図１５は同レンジフードパネルの取り付け最終状態を示す斜視説明図を，図１６は壁面に梁がある場合のレンジフードパネル取付金具の取り付け状態を示す斜視説明図を，図１７は同レンジフードパネルを梁に合わせて切断した状態を示す斜視図を，図１８は同レンジフードパネルを，天井高さに対応させて切断した状態を示す斜視図を，図１９はレンジフードパネルの左（右）金具を上下に取り付ける場合の取付位置を示す説明図である。
【００１９】
即ち，本実施形態例では，公知の構成からなるレンジフード装置のレンジフード部５から天井面までと，壁面Ｗからレンジフード部５に隣接する吊戸棚７間とで画成される空間部を，同空間部を隠蔽できる大きさと形状に形成されたレンジフードパネル１０を後記する取付金具２０で取り付けることを特徴とする。
【００２０】
レンジフードパネル１０は，特に図示はしないが，下面に不燃材が固定されると共に，図１に示すシステムキッチンＫの吊戸棚７や流し台８の各キャビネットの扉９と意匠合わせされて形成されている。尚，図中符号Ｆはレンジフードファンの収納部を，Ｈは排気ダクトである。
【００２１】
本実施形態例に係るレンジフードパネル１０の取付金具２０は，壁面Ｗや吊戸棚７の側板にねじ止めされる短片部２１と，レンジフードパネル１０を係止する長片部２３と，で略Ｌ字状に形成されている。
【００２２】
短片部２１には，ねじ孔２２が本実施形態例では上下に２個づつ開設されている。
【００２３】
また，長片部２３には，上下に横長の係止用穴２４が２個開設されている。この係止用穴２４は，後記するレンジフードパネル側に取り付けられる係合片３４，４４の幅寸法より５ｍｍ以上長い長さを有して開設されている。このように，ねじ孔２２及び横長の係止用穴２４を上下対称に開設することで，左右勝手共に使用することが可能となり，左右２種類の取付金具を用意する必要がなくなり，部品点数を削減して製造コストを低減することができる。
【００２４】
一方，レンジフードパネル１０に取り付けられる金具は，該レンジフードパネル１０の上端部左右に取り付けられる左金具３０及び右金具４０と，レンジフードパネル１０の下端部に取り付けられる下金具５０と，から構成されている。
【００２５】
左金具３０及び右金具４０は，図５と図６に示すように，ねじ孔３１，４１が開設された平板状のベース部３２，４２と，このベース部３２，４２の上端部からレンジフードパネル１０の上縁部に当接するよう折曲形成されたフランジ部３３，４３と，上記ベース部３２，４２から手前方向に折曲形成され上記取付金具２０の係止用穴２４に挿通され係止する弾性を有する係合片３４，４４と，から構成されている。
【００２６】
下金具５０は，図７に示すように，レンジフードパネル１０の裏面側下端部に当接されるフランジ部５１と，このフランジ部５１の下端部に形成された側面形状が略コ字状の桟部５２と，から構成されており，上記フランジ部５１には，ねじ孔５３が複数個開設されていると共に，上記桟部５２には通気孔５４が複数個開設されている。尚，上記桟部５２は，レンジフードパネル１０とレンジフード部５との間に介装され，通気孔５４を通じてレンジフードの過熱状態を防止するように作用する。
【００２７】
次に，上記左右金具３０，４０と下金具５０をレンジフードパネル１０に取り付ける手順を説明すると，先ず，左右金具３０，４０のベース部３２，４２を，図８に示すように，ねじ３５でレンジフードパネル１０の裏面側上端左右に固着する。このとき，左右金具３０，４０のフランジ部３３（４３）は，図９に示すように，レンジフードパネル１０の上縁部１０Ａに載置された状態で引っ掛けられる。
【００２８】
次に，下金具５０のフランジ部５１をレンジフードパネル１０の下端部に当接させたのち，図１０と図１１に示すように，ねじ３５で該フランジ部５１をレンジフードパネル１０の下端部に固着する。このとき，下金具５０の桟部５２の上辺部はレンジフードパネル１０の下縁部に当接するように配置される。尚，本実施形態例では，レンジフードパネル１０の上端部に取り付けられる金具を２個の金具３０，４０で構成した場合を例にとり説明したが，この発明にあってはこれに限定されるものではなく，例えば，図１２と図１３は，このように左右金具３０，４０を一体に形成して金具３０Ａを構成し，該金具３０Ａの両側端部に，係合片３４，３４Ａを形成しても，本実施形態例と同様の作用・効果を得ることができる。
【００２９】
このように組み立てられてなるレンジフードパネル１０を前記空間部を隠蔽するように取り付ける場合には，先ず，図１４に示すように，左右金具３０，４０の係合片３４，４４を，壁面Ｗ及び吊戸棚７の側板に取り付けられた取付金具２０の上方に位置する横長の係止用穴２４に挿入し，この後，レンジフードパネル１０の下端部を，上記壁面Ｗの下方及び吊戸棚７の側板の下方に固定された取付金具２０に当接させ，図１５に示すように押し付け，下金具５０の両側にねじ３５を螺装して固定する。このとき，上記係合片３４．４４は，弾性を有して構成されているので，上記レンジフードパネル１０の下端部を下方の取付金具２０に押し付けたときに，上方の取付金具２０の係止用穴２４の周縁部に強く弾接するので，強力な係合力を得ることができる。
【００３０】
また，上記取付金具２０に，水平方向のケガキ線２５，２５を設けることで，ねじの取付用の下穴を開けるときに，高さ方向の位置決めが容易となるように構成することもできる。
【００３１】
尚，本発明が適用される壁面Ｗに，図１６に示すように，梁Ｂが通っている場合には，レンジフードパネル１０の左側端部を，図１７に示すようにＬ字状に切欠し，上記取付金具１０のうち，左側に配置される取付金具１０を梁Ｂに固定することで，容易にレンジフードパネル１０を取り付けることができる。また，吊戸棚７が背丈が低いショート吊戸棚が隣接する場合には，レンジフードパネル１０を，図１８に示すように切断することで対応させることができる。
【００３２】
このように，この実施形態例に係るレンジフードパネル１０の取付構造にあっては，レンジフードパネル１０の裏面に取り付けられた左右金具３０，４０の係合片３４，４４が挿通される取付金具２０の係止用穴２４を横長に開設して構成したので，内のり寸法が大きい場合であっても，スペーサを貼り増しすることなく，その寸法誤差を吸収してレンジフードパネル１０を容易に取り付けることができ，しかも，意匠合わせされたレンジフードパネル１０と壁面Ｗ及び／又は吊戸棚７との隙間寸法Ｄ（図２参照）を，吊戸棚７の扉９と扉９の隙間寸法Ｄと同じ隙間寸法に容易に調整して一定にすることができるので，システムキッチンＫの外観品質を向上させることができる。
【００３３】
尚，本発明の他の実施形態例として，吊戸棚７の側板に，従来の取付金具１を，壁面Ｗに本取付金具２０をねじ止めしてレンジフードパネル１０を取り付けることで，間隙寸法Ｄを，さらに容易に一定にすることができる。
【図面の簡単な説明】
【００３４】
【図１】この発明の一実施形態例に係るレンジフード取付構造が適用されたシステムキッチンの正面図である。
【図２】同システムキッチンのレンジフードパネル部及び吊戸棚部分の平面断面図である。
【図３】同レンジフードパネルの取り付け状態を示す斜視説明図である。
【図４】同レンジフードパネルの取付金具の斜視図である。
【図５】同レンジフードパネル側に取り付けられる左金具の斜視図である。
【図６】同レンジフードパネル側に取り付けられる右金具の斜視図である。
【図７】同レンジフードパネル裏面下部に取り付けられる下部金具の斜視図である。
【図８】レンジフードパネルの裏面側に左右金具を取り付ける状態を示す斜視説明図である。
【図９】レンジフードパネルの裏面側に左金具を取り付けた状態を示す部分斜視説明図である。
【図１０】レンジフードパネルの裏面側下部に下部金具を取り付ける状態を示す斜視説明図である。
【図１１】同レンジフードパネルの裏面側下部に下部金具を取り付けた状態を示す斜視図である。
【図１２】左右金具を一体化した例を示す説明図である。
【図１３】同一体化金具が取り付けられたレンジフードパネルの右側面図である。
【図１４】同レンジフードパネル取付金具の取り付け手順を示す説明図である。
【図１５】同レンジフードパネルの取り付け最終状態を示す斜視説明図である。
【図１６】壁面に梁がある場合のレンジフードパネル取付金具の取り付け状態を示す斜視説明図である。
【図１７】同レンジフードパネルを梁に合わせて切断した状態を示す斜視図である。
【図１８】同レンジフードパネルを，天井高さに対応させて切断した状態を示す斜視図である。
【図１９】レンジフードパネルの左（右）金具を上下に取り付ける場合の取付位置を示す説明図である。
【図２０】従来の同レンジフードパネルの取付金具の斜視図である。
【符号の説明】
【００３５】
Ｄ  扉と扉の隙間寸法
Ｋ  システムキッチン
Ｗ  壁面
５  レンジフード
７  吊戸棚
８  流し台
９  扉
１０  レンジフードパネル
２０  取付金具
２１  短片部
２２  ねじ孔
２３  長片部
２４  横長の係止用穴
３０  左金具
４０  右金具
３１，４１  ねじ孔
３２，４２  ベース部
３３，４３  フランジ部
３４，４４  係合片
５０  下金具
５１  フランジ部
５２  桟部
５３  ねじ孔
５４  通気孔
【図１】
2006234361.tif 000003
【図２】
2006234361.tif 000004
【図３】
2006234361.tif 000005
【図４】
2006234361.tif 000006
【図５】
2006234361.tif 000007
【図６】
2006234361.tif 000008
【図７】
2006234361.tif 000009
【図８】
2006234361.tif 000010
【図９】
2006234361.tif 000011
【図１０】
2006234361.tif 000012
【図１１】
2006234361.tif 000013
【図１２】
2006234361.tif 000014
【図１３】
2006234361.tif 000015
【図１４】
2006234361.tif 000016
【図１５】
2006234361.tif 000017
【図１６】
2006234361.tif 000018
【図１７】
2006234361.tif 000019
【図１８】
2006234361.tif 000020
【図１９】
2006234361.tif 000021
【図２０】
2006234361.tif 000022